(57)【要約】【課題】水槽内の水がフィルタ取付け部から流出することを防止すること。【解決手段】フィルタの取り付け部はフィルタが所定の位置に装着されている事を検知するフィルタ検知手段を有した構成において、制御手段は、フィルタが所定の位置にないことを検知した場合、循環ポンプを駆動するようにしたことを特徴としている。このような構成では、使用者がフィルタを取り外そうとすることを検知可能となり、検知時に、循環ポンプを駆動することで、水槽内の水の水位によるフィルタ取付け部近傍の水圧を、大気圧以下に低下させることで、水槽内の水がフィルタ取付け部から流出することを防止することが可能となる。【選択図】図１
2014083168.tif 000002
【特許請求の範囲】
【請求項１】
正面に開口部を有する有底円筒形に形成された回転ドラムと、
前記回転ドラムを内部に配設する水槽と、
前記水槽に接続された水循環経路を通じ、前記水槽内の洗濯水を循環ポンプにより循環させる水循環系と、
洗い工程、すすぎ工程の少なくとも１つを実行する制御手段とを備え、
前記水循環経路は、前記回転ドラム内に洗濯水を噴射する噴射口と、前記循環ポンプの上流側の循環経路に設けられ、異物を捕集する取り外し可能な排水フィルタと、前記排水フィルタの装着有無を検知するフィルタ検知手段とを有し、
制御手段は、前記フィルタ検知手段により前記排水フィルタが所定の位置にないことを検知した場合、前記循環ポンプを駆動するようにしたドラム式洗濯機。
【請求項２】
前記フィルタ検知手段は、本体の主電源が入っていない状況で、前記排水フィルタが所定の位置にないことを検知した場合、本体の主電源を投入し前記制御手段により、前記循環ポンプを駆動するようにした請求項１に記載のドラム式洗濯機。
【請求項３】
前記制御手段は、前記水槽内の水の水位を検知する水位検知手段を備え、
前記フィルタ検知手段により前記排水フィルタが所定の位置にないことを検知して前記循環ポンプを駆動した後、前記水位検知手段により前記水槽内に水があることを検知した場合、継続して前記循環ポンプを駆動し、前記水槽内に水がないことを検知した場合は前記循環ポンプの駆動を停止するようにした請求項１または２に記載のドラム式洗濯機。
【請求項４】
前記制御手段は報知手段を有し、
前記フィルタ検知手段により前記排水フィルタが所定の位置にないことを検知して前記循環ポンプを駆動した後、前記水位検知手段により前記水槽内に水があることを検知した場合、前記報知手段により報知を行う請求項１〜３のいずれか１項に記載のドラム式洗濯機。
【請求項５】
前記フィルタ検知手段は、商用電源の入り切りを行う請求項１〜４記載のいずれか１項に記載のドラム式洗濯機。
【請求項６】
前記排水フィルタの取り付け部を覆うカバーを有し、
前記フィルタ検知手段は、前記カバーの開閉を検知することにより前記排水フィルタの装着有無を検知することとした請求項１〜５のいずれか１項に記載のドラム式洗濯機。
【発明の詳細な説明】
【技術分野】
【０００１】
本発明は、洗濯水を循環させる循環系を備えたドラム式洗濯機に関する。
【背景技術】
【０００２】
このようなドラム式洗濯機で、排水経路や、水槽内の洗濯水を循環ポンプで循環させる循環経路の循環ポンプの上流側に排水経路と共用の取り外し可能なフィルタ機能を有したものが既に知られている。
【０００３】
排水時や、洗浄時に経路の下流側に異物が入るのを防止し、排水経路の下流側の異物詰まり防止や、循環ポンプ内への異物混入による破損防止、更には被洗濯物から取り出し忘れ品の回収を目的とするものである。
【先行技術文献】
【特許文献】
【０００４】
【特許文献１】特開２０１０−３６０１６号公報
【発明の概要】
【発明が解決しようとする課題】
【０００５】
しかし、上記構成では、一般的に筐体の下端に排水フィルタが構成されるため、水槽内に水が入った状態で、使用者が排水フィルタを取り外した際、機外に一気に水槽内の水が排出されてしまう課題があった。
【０００６】
本発明の主たる目的は、水槽内の水がフィルタ取付け部から流出することを防止したドラム式洗濯機を提供することにある。
【課題を解決するための手段】
【０００７】
上記目的を達成するために本発明に係るドラム式洗濯機は、正面に開口部を有する有底円筒形に形成された回転ドラムと、
前記回転ドラムを内部に配設する水槽と、
前記水槽に接続された水循環経路を通じ、前記水槽内の洗濯水を循環ポンプにより循環させる水循環系と、
洗い工程、すすぎ工程の少なくとも１つを実行する制御手段とを備え、
前記水循環経路は、前記回転ドラム内に洗濯水を噴射する噴射口と、前記循環ポンプの上流側の循環経路に設けられ、異物を捕集する取り外し可能な排水フィルタと、前記排水フィルタの装着有無を検知するフィルタ検知手段とを有し、
制御手段は、前記フィルタ検知手段により前記排水フィルタが所定の位置にないことを検知した場合、前記循環ポンプを駆動するようにしたものである。
【０００８】
このような構成では、使用者がフィルタを取り外そうとすることを検知可能となり、検知時に、循環ポンプを駆動することで、水槽内の水の水位によるフィルタ取付け部近傍の水圧を、大気圧以下に低下させることで、水槽内の水がフィルタ取付け部から流出することを防止することが可能となる。
【発明の効果】
【０００９】
本発明のドラム式洗濯機によれば、フィルタの取り付け部はフィルタが所定の位置に装着されている事を検知するフィルタ検知手段を有した構成により、フィルタを取り外そうとすることを検知時に、循環ポンプを駆動することで、水槽内の水の水位によるフィルタ
取付け部近傍の水圧を、大気圧以下に低下させることで、水槽内の水がフィルタ取付け部から流出することを防止することが可能となる。
【図面の簡単な説明】
【００１０】
【図１】本発明の実施の形態１におけるドラム式洗濯機の概略構造を示す断面図
【図２】（ａ）同ドラム式洗濯機に用いた循環ポンプの断面図（ｂ）同ドラム式洗濯機に用いた循環ポンプの側面図
【図３】同ドラム式洗濯機のフィルタの断面図
【図４】同ドラム式洗濯機のフィルタの正面図
【図５】同ドラム式洗濯機の斜視図
【図６】同ドラム式洗濯機のブロック図
【発明を実施するための形態】
【００１１】
本発明のドラム式洗濯機は、正面に開口部を有する有底円筒形に形成された回転ドラムと、
前記回転ドラムを内部に配設する水槽と、
前記水槽に接続された水循環経路を通じ、前記水槽内の洗濯水を循環ポンプにより循環させる水循環系と、
洗い工程、すすぎ工程の少なくとも１つを実行する制御手段とを備え、
前記水循環経路は、前記回転ドラム内に洗濯水を噴射する噴射口と、前記循環ポンプの上流側の循環経路に設けられ、異物を捕集する取り外し可能な排水フィルタと、前記排水フィルタの装着有無を検知するフィルタ検知手段とを有し、
制御手段は、前記フィルタ検知手段により前記排水フィルタが所定の位置にないことを検知した場合、前記循環ポンプを駆動するようにしたものである。
【００１２】
これにより、排水フィルタを取り外そうとすることを検知時に、循環ポンプを駆動することで、水槽内の水の水位による排水フィルタ取付け部近傍の水圧を、大気圧以下に低下させることで、水槽内の水が排水フィルタ取付け部から流出することを防止することが可能となる。
【００１３】
上記において、前記フィルタ検知手段は、本体の主電源が入っていない状況で、前記排水フィルタが所定の位置にないことを検知した場合、本体の主電源を投入し前記制御手段により、前記循環ポンプを駆動するようにしたものである。
【００１４】
これにより、排水フィルタの目詰まりなどのメンテナンスを、本体の主電源が入っていない状況で行った際でも、排水フィルタを取り外そうとすることを検知し、循環ポンプを駆動することで、水槽内の水の水位による排水フィルタ取付け部近傍の水圧を、大気圧以下に低下させることで、水槽内の水が排水フィルタ取付け部から流出することを防止することが可能となる。
【００１５】
上記において、前記制御手段は、前記水槽内の水の水位を検知する水位検知手段を備え、
前記フィルタ検知手段により前記排水フィルタが所定の位置にないことを検知して前記循環ポンプを駆動した後、前記水位検知手段により前記水槽内に水があることを検知した場合、継続して前記循環ポンプを駆動し、前記水槽内に水がないことを検知した場合は前記循環ポンプの駆動を停止するようにしたものである。
【００１６】
これにより、水槽内の水有り無しに関わらず、循環ポンプを駆動することで、瞬時に起こる水槽内の水がフィルタ取付け部から流出を防ぐとともに、水が無いと判定された場合は停止することで、無駄な電力を抑制することが可能となる。
【００１７】
上記において、前記制御手段は報知手段を有し、
前記フィルタ検知手段により前記排水フィルタが所定の位置にないことを検知して前記循環ポンプを駆動した後、前記水位検知手段により前記水槽内に水があることを検知した場合、前記報知手段により報知を行うものである。
【００１８】
これにより、使用者に対し、水槽内の水の残存している事と、不用意にフィルタを取り外すことにより、水がフィルタ取付け部から流出する恐れがあることを報知することが可能となる。
【００１９】
上記において、フィルタ検知手段は、商用電源の入り切りを行うことで、本体の主電源が入っていない状況で、フィルタが所定の位置にないことを検知した場合、本体の主電源を投入し制御手段により、循環ポンプを駆動することで、本体の主電源が入っていない状況でも、フィルタを取り外そうとすることを検知し、循環ポンプを駆動することが可能となる。
【００２０】
上記において、前記排水フィルタの取り付け部を覆うカバーを有し、
前記フィルタ検知手段は、前記カバーの開閉を検知することにより前記排水フィルタの装着有無を検知することとしたものである。
【００２１】
これにより、制御手段は、カバーが所定の位置にないことを検知した場合、循環ポンプを駆動することで同様の効果が得られる。
【００２２】
（実施の形態１）
図１は、本発明の実施の形態１におけるドラム式洗濯機の概略構造を示す断面図、図２（ａ）は、同ドラム式洗濯機に用いた循環ポンプの断面図、図２（ｂ）は、同ドラム式洗濯機に用いた循環ポンプの側面図、図３は、同ドラム式洗濯機のフィルタの断面図、図４は、同ドラム式洗濯機のフィルタの正面図、図５は、同ドラム式洗濯機の斜視図、図６は、同ドラム式洗濯機のブロック図である。
【００２３】
本実施の形態１のドラム式洗濯機は、モード設定や制御プログラムに従い、図１に示すモータ６、給水系７、排水系８、乾燥系９を自動制御して少なくとも洗浄工程、すすぎ工程、脱水工程、乾燥工程を行う機能を有したいわゆるドラム式洗濯乾燥機を構成している。しかし、乾燥系９は省略することができる。また、上記に併せ、洗浄準備工程時、洗浄工程時、すすぎ工程時など必要に応じ、水循環系１５にて水槽３内の洗濯水を循環させて洗剤の早期溶け込みや偏りの防止、洗浄やすすぎの機能向上を図る機能も有している。
【００２４】
なお、給水系７は電磁弁の開閉によって実線矢印で示すように適時に給水でき、また給水を利用して洗剤収容部の洗剤を水槽３内に適時に投入できるようになっている。排水系８は排水弁１９の開閉によって洗浄工程終了時、すすぎ工程終了時など必要なときに排水できるようになっている。また、水循環経路１６は水槽３内の洗濯水を循環ポンプ２０により吸い込み水槽３内に戻すことを繰り返す。
【００２５】
運転コース等のモードや各種機能の選択は、洗濯機本体２の前面上部に設けられる操作手段２１から入力して行い、制御手段２２がその入力情報を基に操作手段２１上の表示手段で表示して使用者に知らせるとともに、操作手段２１での入力設定手段により運転開始が設定されると、水槽３内の水位を検知する水位検知手段６１等からのデータを入力して駆動を開始して、排水弁、給水弁などの動作を制御し、洗浄、脱水、乾燥などの運転を行う。
【００２６】
なお、洗濯機本体２の正面側には本体開口２ｂが設けられ、水槽３の正面側に設けた第２の開口１３および回転ドラム４の正面側に設けた第１の開口５４を介して回転ドラム４内に洗濯物を出し入れできるように構成している。本体開口２ｂには、開閉扉５が設けられ、水槽３の開口１３をその口縁に装着したシール材１４を介し密閉し、また開くことができるようにしている。
【００２７】
循環ポンプ２０は、台板２ａに固定し、水循環経路１６の循環ポンプ２０からの吐出側経路１６ｂは、水槽３の開口１３が位置する洗濯機本体２の前方に向けて延びたものとしている。具体的には、循環ポンプ２０は、図２に示すようにインペラ２０ａを収容した樹脂製の循環ポンプケーシング２０ｂがその開口側で、循環モータ２０ｃのモータケーシング２０ｄの前端にある軸受隔壁２０ｄ１に当てがって一体化し、インペラ２０ａをモータ軸２０ｅに直結したものとしてあり、これを樹脂製の取り付け座３５に嵌め付けてある。
【００２８】
循環ポンプ２０により加圧された洗濯水は、水循環経路１６の吐出側経路１６ｂを介して前端壁３ｈの裏面とこれに対応する回転ドラム４の前端壁４ｂの表面との間に洗濯水を噴射し、それらの間で形成する流路５２を通じて回転ドラム４内に吐出するようにしてある。
【００２９】
これらの動作は、循環モータ２０ｃの駆動を制御する制御手段２２により行われる。
水循環経路１６の循環ポンプ２０吸い込み側の上流側には、循環ポンプ２０内への異物の混入を防止するための取り外し可能な排水フィルタ５５とその取付け部５６を備えている。この排水フィルタ５５と取り付け部５６の間には、機械式等の直接的あるいは磁気等を応用した間接的に排水フィルタ５５が所定の位置に装着されている事を検知するフィルタ検知手段５７を有し、制御手段２２は、排水フィルタ５５が所定の位置にないことを検知した場合、循環ポンプ２０を駆動する。図の例では、排水フィルタ５５はシール部５８と回転方向にロック機構を有した把手５９で構成され、使用者が把手５９をロック解除方向に回転させるとロックが解除され、回転軸方向に引き出すことで排水フィルタ５５は取り外し可能となり、異物詰まりなどのメンテナンスを使用者が行うことができる。この把手５９のロック状態の位置にマグネット６０を構成し、フィルタ検知手段５７をリードスイッチで構成することにより、排水フィルタ５５がロック状態にあるかどうかを検知することが可能となる。一般的に水槽３よりも下端に排水フィルタ５５を構成するため、不用意あるいは排水フィルタ５５の詰まり時等に、水槽３内に水が入った状態で、使用者が排水フィルタ５５を取り外した場合、水槽３内の水の水位によるフィルタ取付け部５６近傍の水圧は大気圧よりも高いため、機外に一気に水槽３内の水が排出されてしまうが、制御手段２２は、排水フィルタ５５が所定の位置にないことを検知した場合、循環ポンプ２０を駆動することで、水槽３内の水の水位によるフィルタ取付け部５６近傍の水圧を大気圧以下に低下させ、水槽３内の水がフィルタ取付け部５６から流出することを防止することが可能になる。
【００３０】
ここで、水循環経路１６が無く、代わりに排水系８のみを構成しその経路の途中に排水循環ポンプを構成し、排水循環ポンプの上流に排水フィルタ５５を構成した場合でも、フィルタ検知手段５７を備えることで、同様の効果が得られる。
【００３１】
また、フィルタ検知手段５７は、洗濯機本体２の主電源が入っていない状況で、排水フィルタ５５が所定の位置にないことを検知した場合、洗濯機本体２の主電源を投入し制御手段２２により、循環ポンプ２０を駆動することで、排水フィルタ５５の目詰まりなどのメンテナンスを、洗濯機本体２の主電源が入っていない状況で行った際でも、排水フィルタ５５を取り外そうとすることを検知し、循環ポンプ２０を駆動することで、水槽３内の水の水位によるフィルタ取付け部５６近傍の水圧を、大気圧以下に低下させることで、水槽３内の水がフィルタ取付け部５６から流出することを防止することが可能となる。
【００３２】
更に、制御手段２２は、水槽３内の水の水位を検知する水位検知手段６１を備え、フィルタ検知手段５７により排水フィルタ５５が所定の位置にないことを検知した際、循環ポンプ２０を駆動した後、水位検知手段６１により水槽３内に水があることを検知した場合は継続して循環ポンプ２０を駆動し、水槽３内に水がないことを検知した場合は循環ポンプ２０の駆動を停止するようにすることで、水槽３内の水有り無しに関わらず、循環ポンプ２０を駆動することで、瞬時に起こる水槽３内の水がフィルタ取付け部５６から流出を防ぐとともに、水が無いと判定された場合は停止することで、無駄な電力を抑制することが可能となる。
【００３３】
更に、制御手段２２は報知手段を備えることで、フィルタ検知手段５７により排水フィルタ５５が所定の位置にないことを検知した際、循環ポンプ２０を駆動した後、水位検知手段６１により水槽３内に水があることを検知した場合は継続して循環ポンプ２０を駆動し報知を行うことで使用者に対し、水槽３内の水の残存している事と、不用意に排水フィルタ５５を取り外すことにより、水がフィルタ取付け部５６から流出する恐れがあることを報知することが可能となる。
【００３４】
また、フィルタ検知手段５７は、商用電源の入り切りを行うことで、洗濯機本体２の主電源が入っていない状況で、排水フィルタ５５が所定の位置にないことを検知した場合、洗濯機本体２の主電源を投入し制御手段２２により、循環ポンプ２０を駆動することで、洗濯機本体２の主電源が入っていない状況でも、排水フィルタ５５を取り外そうとすることを検知し、循環ポンプ２０を駆動することが可能となる。
【００３５】
更に、排水フィルタ５５の取り付け部を覆うカバー６２を有し、カバー６２の開閉を検知することで、制御手段２２は、カバー６２が所定の位置にないことを検知した場合、循環ポンプ２０を駆動することで同様の効果が得られる。
【産業上の利用可能性】
【００３６】
本発明のドラム式洗濯機によれば、フィルタの取り付け部はフィルタが所定の位置に装着されている事を検知するフィルタ検知手段を有した構成により、フィルタを取り外そうとすることを検知時に、循環ポンプを駆動することで、水槽内の水の水位によるフィルタ取付け部近傍の水圧を、大気圧以下に低下させることで、水槽内の水がフィルタ取付け部から流出することを防止することが可能となり、回転ドラム内に収容した洗濯物を洗濯するドラム式洗濯機等として有用である。
【符号の説明】
【００３７】
２  洗濯機本体
３  水槽
４  回転ドラム
７  給水系
８  排水系
１５  水循環系
１６  水循環経路
１６ｂ  吐出側経路
２２  制御手段
５５  排水フィルタ
２０  循環ポンプ
５７  フィルタ検知手段
【図２】
2014083168.tif 000003
【図６】
2014083168.tif 000004
【図１】
2014083168.tif 000005
【図３】
2014083168.tif 000006
【図４】
2014083168.tif 000007
【図５】
2014083168.tif 000008